(57)【要約】【課題】傾斜地におけるゴルフのスイングを安定させることのできるゴルフシューズを提供することである。【解決手段】アウトソール本体の全長１００％に対しアウトソール本体の前半部の５０％の第１エリアＡ１の内足部２１にセンター１１Ｃを有する第１鋲１１および外足部２０にセンターを有する第１鋲を含む第１鋲群Ｇ１と、全長１００％に対しアウトソール本体の後端部の２５％の第２エリアＡ２の内足部にセンター１２Ｃを有する第２鋲１２および外足部にセンターを有する第２鋲を含む第２鋲群Ｇ２と、第１エリアと第２エリアとの間の第３エリアＡ３の外足部にセンター１３Ｃを有し、前記第３エリアの外足部に大半が属する第３鋲１３を含む第３鋲群Ｇ３とを備え、第３鋲群のセンターＧＣの位置が前記全長１００％に対し前記ソール本体の後端２Ｒから３０〜４５％の第４エリアＡ４に設定されている。【選択図】図１
2018007701.tif 000002
【特許請求の範囲】
【請求項１】
鋲がアウトソール本体２に装着されたゴルフシューズであって、
前記アウトソール本体２の全長１００％に対し前記アウトソール本体２の前半部の５０％の第１エリアＡ１の内足部２１にセンター１１Ｃを有する第１鋲１１および外足部２０にセンター１１Ｃを有する第１鋲１１を含む第１鋲群Ｇ１と、
前記全長１００％に対し前記アウトソール本体２の後端部の２５％の第２エリアＡ２の内足部２１にセンター１２Ｃを有する第２鋲１２および外足部２０にセンター１２Ｃを有する第２鋲１２を含む第２鋲群Ｇ２と、
第１エリアＡ１と第２エリアＡ２との間の第３エリアＡ３の外足部２０にセンター１３Ｃを有し、前記第３エリアＡ３の外足部２０に大半が属する第３鋲１３を含む第３鋲群Ｇ３とを備え、
前記第３鋲群Ｇ３のセンターＧＣの位置が前記全長１００％に対し前記ソール本体２の後端２Ｒから３０〜４５％の第４エリアＡ４に設定されている、ゴルフシューズ。
【請求項２】
請求項１において、
前記第１鋲１１のうちの前記アウトソール本体２の外足部２０の最も後に配置された前記第１鋲１１と当該第１鋲１１の隣の前記第３鋲１３との第１のピッチＰ１と、
前記第２鋲１２のうちの前記アウトソール本体２の外足部２０の最も前に配置された前記第２鋲１２と当該第２鋲１２の隣の前記第３鋲１３との第２のピッチＰ２とが下記（１）式を満足する、ゴルフシューズ
０．７＊Ｐ２≦Ｐ１≦１．３＊Ｐ２……（１）。
【請求項３】
請求項２において、
前記第３鋲１３の高さ位置が前記第１および第２鋲１１、１２の高さ位置と同等である、ゴルフシューズ。
【請求項４】
請求項２もしくは３において、
前記第２および第３エリアＡ２，Ａ３の外足部２０に配置された鋲の数が前記第２および第３エリアＡ２，Ａ３の内足部２１に配置された鋲の数よりも多い、ゴルフシューズ。
【請求項５】
請求項４において、
前記第３エリアＡ３の内足部２１には鋲が配置されていない、ゴルフシューズ。
【請求項６】
請求項４もしくは５において、
前記第１エリアＡ１の外足部２０に配置された第１鋲１１の数が前記第１エリアＡ１の内足部２１に配置された第１鋲１１の数よりも少ない、ゴルフシューズ。
【請求項７】
請求項１〜６のいずれか１項において、
前記鋲は前記アウトソール本体２に対し取替式の鋲である、ゴルフシューズ。
【請求項８】
請求項１〜７のいずれか１項において、
前記アウトソール本体２の外足部２０が少なくとも前記第２エリアＡ２においてアッパー３よりも外方に向かって張り出した張出部２９を有する、ゴルフシューズ。
【請求項９】
請求項８において、
前記アウトソール本体２の内足部２１が前記第２エリアＡ２において前記アッパー３よりも外方に向かって張り出した別の張出部２９を有する、ゴルフシューズ。
【請求項１０】
請求項１〜９のいずれか１項において、
前記アウトソール本体２に一体に形成され地面に向かって突出するクリート４が前記第１、第２および第３エリアＡ１〜Ａ３の外足部２０に、それぞれ設けられている、ゴルフシューズ。
【請求項１１】
請求項１０において、
前記第３エリアＡ３の外足部２０のクリート４の接地面４Ｆの高さ位置が前記第１および第２エリアＡ１，Ａ２の外足部２０のクリート４の接地面４Ｆの高さ位置と同等である、ゴルフシューズ。
【請求項１２】
請求項１０において、
前記鋲が前記クリート４の接地面４Ｆよりも地面に向かって突出している、ゴルフシューズ。
【発明の詳細な説明】
【技術分野】
【０００１】
本発明は鋲を有するゴルフシューズに関する。
【背景技術】
【０００２】
鋲はゴルフシューズのアウトソール本体に装着される。近時、鋲は交替可能な取替式のものが殆どである。
【０００３】
一方、ゴルフ場は傾斜地が多い。そのため、傾斜地でのスイングを安定させることにより、スコアを大きく伸ばすことができると考えられる。しかし、傾斜地でのスイングを前記鋲によるグリップ力で安定させることを狙ったゴルフシューズは未だ開発されていない。（特許文献１〜７）。
【先行技術文献】
【特許文献】
【０００４】
【特許文献１】ＪＰ３０３１６２７Ｕ（フロントページ）
【特許文献２】ＪＰ２００６−６８３９４Ａ（段落００２２，図２）
【特許文献３】ＪＰ６０−１０９４０４Ｕ
【特許文献４】ＪＰ２００２−１７７００２Ａ（図３）
【特許文献５】ＪＰ２０１２−２３６０２６Ａ
【特許文献６】ＪＰ２００１−２２４４０４Ａ（段落００２３）
【特許文献７】ＪＰ３０２１４７２Ｕ（フロントページ）
【発明の概要】
【０００５】
特許文献１のゴルフシューズは踏まず部にソール本体と一体の滑止め部を設けている。しかし、上方にアーチ形に退避した踏まず部に設けた滑止め部はゴルフ場の芝に係合するグリップ力は期待しにくい。また、ソール本体と一体の滑止め部はアウトソール本体に対しアンダカットを有する鋲のような大きなグリップ力は期待できない。
【０００６】
特許文献２のゴルフシューズは中足部の外足の張出部に、湾曲した複数本の突条を設けている。この特許文献２の発明は前記湾曲した突条によりスイング時の体重の移動のスムース化を狙っている。前記突条を設けた部位に鋲を設けることは前記特許文献２に開示されていないし、前記特許文献２の技術思想に相反する。
【０００７】
特許文献４および５のゴルフシューズは踏まず部の底面が上方に退避している。したがって、外足の踏まず領域においてグリップ力を発揮するものではない。
【０００８】
特許文献６は、“中央部外側（外足）アウトソールがスイングのフォロースルー時等に地面をしっかりとグリップする。” ことを狙っている。しかし、外側（外足）の踏まず領域に鋲を配置することについては何ら開示もしていない。
【０００９】
特許文献７には、斜面を歩き易いゴルフシューズの靴底を開示している。しかし、同文献は斜面におけるスイングについては何ら開示もしていない。
【００１０】
本発明の目的は、傾斜地におけるゴルフのスイングを安定させることのできるゴルフシューズを提供することである。
【００１１】
本発明の構成の説明に先立って、発明者が行った試験および本発明の原理について説明する。
【００１２】
図１０Ａおよび図１０Ｂはスイング時の左足の荷重中心の移動を示す。図１０Ａは傾斜地において爪先上がりの状態でスイングした時のそれを示し、図１０Ｂは平地でスイングした時のそれを示す。
【００１３】
スイング動作をバックスイングＢＳ、ダウンスイングＤＳ、インパクト後のフォロースルーＦＴの３区間に分類し、左足の荷重中心の移動量を比較した。その結果、フォロースルーＦＴ区間での動きが急であり、不安定であることが分かる。例えば、今回の検証試験においては、傾斜地ではフォロースルーＦＴの時間が半分程度まで短くなるにもかかわらず、平地と同様に中心が大きく移動した。また、傾斜のスイング動作では、爪先上がりだけでなく、爪先下がりの条件においても、インパクト後の荷重変動が大きく、動作が不安定になることを発見した。
【００１４】
図１１はインパクト時の足圧分布をグレーの濃淡で示す。グレーの濃い部分は足圧が大きく、一方、グレーの淡い部分は足圧が小さい。
【００１５】
図１１において、傾斜地および平地の双方において、左足Ｌｅｆｔの足圧が大きく、特に傾斜地では左足Ｌｅｆｔの足圧が大きい。
【００１６】
図１１において、平地では左足Ｌｅｆｔの足圧が爪先から踵まで、かつ、左足の内側および外側に荷重が分散して、広い面積で体重を支えていることが分かる。
【００１７】
これに対し、傾斜地では左足Ｌｅｆｔの踵に大きな荷重がかかり、左足の爪先や内足の荷重が平地に比べ小さくなっていることが分かる。特に、平地では、然程、荷重がかかっていない左足の踵の外足の若干前方、つまり左足の外足の踏まず部に、傾斜地では大きな荷重が生じていることが分かる。
【００１８】
かかる足圧分布の測定結果から、スイング時に左足の踵が不用意に移動したり、倒れたりするのを抑制することで、傾斜地におけるゴルフスイングを安定させることができると考えられる。
【００１９】
本発明のゴルフシューズは、鋲がアウトソール本体２に装着されたゴルフシューズであって、
前記アウトソール本体２の全長１００％に対し前記アウトソール本体２の前半部の５０％の第１エリアＡ１の内足部２１にセンター１１Ｃを有する第１鋲１１および外足部２０にセンター１１Ｃを有する第１鋲１１を含む第１鋲群Ｇ１と、
前記全長１００％に対し前記アウトソール本体２の後端部の２５％の第２エリアＡ２の内足部２１にセンター１２Ｃを有する第２鋲１２および外足部２０にセンター１２Ｃを有する第２鋲１２を含む第２鋲群Ｇ２と、
第１エリアＡ１と第２エリアＡ２との間の第３エリアＡ３の外足部２０にセンター１３Ｃを有し、前記第３エリアＡ３の外足部２０に大半が属する第３鋲１３を含む第３鋲群Ｇ３とを備え、
前記第３鋲群Ｇ３のセンターＧＣの位置が前記全長１００％に対し前記ソール本体２の後端２Ｒから３０〜４５％の第４エリアＡ４に設定されている。
【００２０】
本発明においては、第３エリアＡ３の外足部２０に第３鋲１３が配置されている。この第３鋲１３は傾斜地で踵や踵の外足の直前方にかかった荷重により芝の葉や根に絡んで係合する。そのため、踵等に荷重のかかった左足がズレるのを抑制するグリップ機能を発揮する。
【００２１】
アウトソール本体に装着された鋲は、アウトソール本体に対しアンダカットとなるような板状ないし板状等の構造を実現でき、ゴルフ場の芝に埋もれ、芝の葉や根が絡んで係合し易い。そのため、取替式の鋲によるグリップは、アウトソール本体に一体に成型されたクリートのような滑り止め部よりも芝の葉や根に係合し易く、前記ズレ防止の機能が高い。
【００２２】
踵の若干前方である第３エリアの外足において荷重のかかった鋲は足が踵を中心に不用意に回転するのを抑制する。
【００２３】
したがって、傾斜地におけるスイングが安定する。
【００２４】
特に、第３鋲群Ｇ３のセンターＧＣの位置が後端から３０〜４５％の第４エリアＡ４に設定されている。したがって、第３鋲群Ｇ３全体が前方の第１エリアＡ１に近づきすぎたり、あるいは、後方の第２エリアＡ２に近づきすぎたりするおそれがない。そのため、第１エリアＡ１の後端の第１鋲１１から、第２エリアＡ２の前端の第２鋲１２にわたって均等的に鋲が配置され、前記スイングの安定性が発揮され易い。
【００２５】
ここで、大半とは７０％以上、好ましくは、８０％以上を意味し、従って、「第３エリアＡ３の外足部２０に大半が属する」とは、第３鋲の平面的な投影面積の８０％以上が第３エリアＡ３の外足部２０に属することを意味する。これらの場合、一般に、アウトソール本体に装着されている第３鋲の被装着部の全部が第３エリアＡ３の外足部２０に属するであろう。
【００２６】
第３鋲群のセンターとは、例えば、単一の第３鋲により第３鋲群が形成される場合、第３鋲のセンターを意味し、一方、例えば、２つの第３鋲により第３鋲群が形成される場合、両第３鋲のセンターを結ぶ線分の中点を意味する。
【００２７】
内足（Ｍｅｄｉａｌ  ｓｉｄｅ）とは、一般に内側や足の内側と称されている。外足（Ｌａｔｅｒａｌ  ｓｉｄｅ）とは、一般に外側や足の外側と称されている。
【図面の簡単な説明】
【００２８】
【図１】本発明の実施例１にかかるソールをデジタル写真で示す底面図である。
【図２】ゴルフシューズの同外足の側面図である。
【図３】同内足の側面図である。
【図４】同背面図である。
【図５】ソール側から見た同斜視図である。なお、図５においてクリートの接地側の表面（接地面）にはドット模様を付している。
【図６】鋲および装着部の拡大同斜視図である。
【図７】ソール本体の底面図である。
【図８】実施例２にかかるソール本体の底面図である。
【図９】実施例２にかかるソールをデジタル写真で示す斜視図である。
【図１０】スイング時の荷重中心の移動を示す特性図である。
【図１１】インパクト時の足圧分布を示す平面図である。
【図１２】グリップ性能の比較を示す図である。
【図１３】傾斜地における安定性能の比較を示す図である。
【図１４】フレア構造と安定性能との関係を示す図である。
【発明を実施するための形態】
【００２９】
好ましくは、前記第１鋲１１のうちの前記アウトソール本体２の外足部２０の最も後に配置された前記第１鋲１１と当該第１鋲１１の隣の前記第３鋲１３との第１のピッチＰ１と、
前記第２鋲１２のうちの前記アウトソール本体２の外足部２０の最も前に配置された前記第２鋲１２と当該第２鋲１２の隣の前記第３鋲１３との第２のピッチＰ２とが下記（１）式を満足する。
０．７＊Ｐ２≦Ｐ１≦１．３＊Ｐ２……（１）
【００３０】
この場合、第１のピッチと第２のピッチとは近似した値となる。そのため、第３鋲が前方の第１鋲や後方の第２鋲に接近しすぎるおそれがない。したがって、第１〜第３鋲が均等的に配置され、傾斜地においてグリップ機能やズレ防止機能を安定的に発揮し易い。その結果、傾斜地におけるスイングの更なる安定性が期待できる。
【００３１】
第１ピッチＰ１が第２ピッチＰ２の０．７倍よりも小さいと、第３鋲が前方の第１鋲に接近しすぎると共に後方の第２鋲から離間しすぎる。一方、第１ピッチＰ１が第２ピッチＰ２の１．３倍よりも大きいと、第３鋲が前方の第１鋲から離間しすぎると共に後方の第２鋲に接近しすぎる。
【００３２】
こうした観点から、下記の（１１）式を満足するのがより好ましい。
０．８＊Ｐ２≦Ｐ１≦１．２＊Ｐ２……（１１）
【００３３】
好ましくは、前記第３鋲１３の高さ位置が前記第１および第２鋲１１、１２の高さ位置と同等である。
【００３４】
この場合、第３鋲が第１および第２鋲に対し、上方に大きく退避していたり、下方に大きく突出しているおそれがない。そのため、傾斜地におけるスイング時に第３鋲が芝の葉や根に安定的に係合するだろう。
【００３５】
かかる観点から同等とは、±２ｍｍ程度以内の範囲が好ましい。また、鋲の係合機能の観点から、鋲の高さ位置は、例えば、鋲の最下端（地面に向かって最も突出した端）の高さ位置であってもよい。最下端の高さ位置は一般に測定も容易である。
【００３６】
好ましくは、前記第２および第３エリアＡ２，Ａ３の外足部２０に配置された鋲の数が前記第２および第３エリアＡ２，Ａ３の内足部２１に配置された鋲の数よりも多い。
【００３７】
かかる配置は鋲の数が不必要に増加するのを防止し得る。その理由は図１１の傾斜地における左足Ｌｅｆｔの足圧分布から分かるように第３エリアに相当する部分において、外足に比べ内足の足圧は著しく小さいからである。
【００３８】
こうした理由から、より好ましくは、前記第３エリアＡ３の内足部２１には鋲が配置されていない。
【００３９】
好ましくは、前記第１エリアＡ１の外足部２０に配置された第１鋲１１の数が前記第１エリアＡ１の内足部２１に配置された第１鋲１１の数よりも少ない。
【００４０】
かかる配置は鋲の数を減らすのに役立つと共に内足部と外足部の鋲の数のバランスを保つのに役立つ。
図１１の平地における左足Ｌｅｆｔの足圧分布に比べ傾斜地における左足Ｌｅｆｔの足圧分布は、足の前半部の足圧が小さく、特に、左足Ｌｅｆｔの外足部分の先端部分が著しく小さい。したがって、ソールの先端部分は外足に鋲を設けずに内足にのみ鋲を設けるのが更に好ましい。
【００４１】
図１１から分かるように、左足Ｌｅｆｔと右足Ｒｉｇｈｔの足圧分布は大きく異なる。したがって、本発明にかかる鋲の配置やアウトソール本体の構造および形状は、例えば左足用にのみ採用し、左足用と右足用とで互いに異なっていてもよい。
【００４２】
好ましくは、前記鋲は前記アウトソール本体２に対し取替式の鋲である。
【００４３】
鋲が取替式である場合、前述のような利点が得られる。
【００４４】
好ましくは、  前記アウトソール本体２の外足部２０が少なくとも前記第２エリアＡ２においてアッパー３よりも外方に向かって張り出した張出部２９を有する。
【００４５】
第２エリアの外足部において張出部２９が張り出していることにより、スイング時に生じる大きな荷重で踵が倒れるのを抑制し得る。したがって、安定性が向上する。
【００４６】
更に好ましくは、前記アウトソール本体２の内足部２１が前記第２エリアＡ２において前記アッパー３よりも外方に向かって張り出した別の張出部２９を有する。
【００４７】
この場合、安定性が更に向上する。
【００４８】
好ましくは、前記アウトソール本体２に一体に形成され地面に向かって突出するクリート４が前記第１、第２および第３エリアＡ１〜Ａ３の外足部２０に、それぞれ設けられている。
【００４９】
第１〜第３エリアの外足部に設けられたクリートは、スイング時に生じる大きな荷重を支える。特に、第２および／または第３エリアの外足部に張出部２９が設けられている場合、前記クリートは図１３（ａ）の角θのような踵の倒れを抑制し得る。
【００５０】
更に好ましくは、前記第３エリアＡ３の外足部２０のクリート４の接地面４Ｆの高さ位置が前記第１および第２エリアＡ１，Ａ２の外足部２０のクリート４の接地面４Ｆの高さ位置と同等である。
【００５１】
この場合、外足部のクリートの接地面は、第１および第２エリアだけでなく、第３エリアにおいても芝の表面などに接地するであろう。そのため、傾斜地におけるスイング時に外足のクリートが芝の表面に接地する。その結果、前記踵の倒れを抑制する効果が高まる。
【００５２】
かかる観点から、同等とは±２ｍｍ程度以内が好ましい。
【００５３】
好ましくは、前記鋲が前記クリート４の接地面４Ｆよりも地面に向かって突出している。
【００５４】
下方の地面に向かって突出したクリートよりも更に下方に鋲が突出していることで、鋲の係合機能が発揮される。
【００５５】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００５６】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００５７】
以下、本発明の実施例を図面にしたがって説明する。
以下の実施例では左足用のゴルフシューズを示す。
【００５８】
図１〜図７は実施例１を示す。
図５に示すように、ソールはアウトソール本体２と樹脂製のミッドソール５とを備える。なお、ソールの上（紙面では下）には足の甲を包むアッパー６が設けられる。
【００５９】
ミッドソール５は例えば樹脂製の発泡体からなる。なお、「樹脂製」とは、熱可塑性等の樹脂成分を有するという意味である。
【００６０】
アウトソール本体２は前記ミッドソール５の発泡体よりも耐摩耗債の大きい接地底で、一般に、ミッドソール５の発泡体よりも硬度が大きい。なお、アウトソール本体２としてはウレタン樹脂などを採用してもよい。
【００６１】
前記アウトソール本体２には、第１〜第３鋲（ｓｔｕｄ）１１〜１３が設けられている。以下、鋲の構造および配置について説明する。各鋲１１〜１３の構造は互いに同一であり、以下、代表して第３鋲１３を例として説明する。
【００６２】
図６に明示するように、鋲１３は被装着部１５、工具係止部１７および数個の係合突起１６などを一体に備えるパーツである。前記鋲の係合突起１６はアウトソール本体２よりも下方（紙面では上方）に突出しており、ゴルフ場の芝に埋もれて芝の葉や根に係合する。
【００６３】
前記係合突起１６は被装着部１５よりも径方向に突出しており、アウトソール本体２に対してアンダーカットとなる部分を構成する。前記係合突起１６の形状としては、放射状（図１）またはラセン状（図９）に延び棒状ないし板状に形成されていてもよい。
【００６４】
前記各鋲は取替式の鋲である。すなわち、前記鋲の被装着部１５はアウトソール本体２の装着部２５に着脱自在に装着されている。前記鋲の工具係止部１７に図示しない専用工具を係止して前記鋲を回転させて前記装着部２５に装着したり、前記装着部２５から取り外して鋲が取替可能となっている。
【００６５】
前記アウトソール本体２の装着部２５は、モールド時にアウトソール本体２に一体とされてもよい。また、各鋲の被装着部１５と係合突起１６はモールド時に互いに一体成形されてもよい。また、鋲はモールド時にアウトソール本体２のキャビティに装着されてアウトソール本体２に一体に成形されてもよい。
【００６６】
つぎに、図１の第１〜第３鋲１１〜１３の配置について説明する。
図１において、第１〜第３鋲１１〜１３は、それぞれ、第１〜第３鋲群Ｇ１〜Ｇ３を構成する。前記第１〜第３鋲群Ｇ１〜Ｇ３は、それぞれ、以下に説明する第１〜第３エリアＡ１〜Ａ３に配置される。
【００６７】
前記第１エリアＡ１は前記アウトソール本体２の全長１００％に対し前記アウトソール本体２の前半部である５０％のエリアである。前記第１鋲１１は第１エリアＡ１の内足部２１または外足部２０にセンター１１Ｃを有する。本例の場合、第１エリアＡ１の内足部２１および外足部２０に各々第１鋲１１が複数個設けられている。
【００６８】
第２エリアＡ２は、前記全長１００％に対し前記ソール本体２の後端部である２５％のエリアである。前記第２鋲１２は第２エリアＡ２の内足部２１または外足部２０にセンター１２Ｃを有する。本例の場合、第２鋲１２が第２エリアＡ２の内足部２１および外足部２０に各々１個設けられている。
【００６９】
第３エリアＡ３は、第１エリアＡ１と第２エリアＡ２との間のエリアである。前記第３鋲１３は第３エリアＡ３の外足部２０にセンター１３Ｃを有し、前記第３エリアＡ３の外足部２０に大半が属する。本例の場合、第３鋲１３が第３エリアＡ３の外足部２０に２個設けられている。
【００７０】
図１の前記各鋲のセンター１１Ｃ〜１３Ｃは、図７のように鋲を取り外したアウトソール本体２の装着部２５のセンター１１Ｃ〜１３Ｃと同じ位置となる。
【００７１】
図１において、前記ソールの全長は、例えば、シューズセンターと呼ばれる仮想のラインＣＬの前端２Ｆから後端２Ｒまでの長さであってもよい。前記内足部２１と外足部２０は、例えば仮想の区画ラインＶＬで足の内側と外側に概ね均等に分けられた部分であってもよい。
【００７２】
前記第３エリアＡ３は第４エリアＡ４を包含する。この第４エリアＡ４には、前記第３鋲群Ｇ３のセンターＧＣが配置される。前記第４エリアＡ４は前記全長１００％に対し前記ソール本体２の後端２Ｒから３０〜４５％のエリアである。
なお、前記第３鋲群Ｇ３のセンターＧＣとは、２つの第３鋲１３のセンター１３Ｃ同士を結ぶ仮想の線分の中点である。
【００７３】
図１に示す第１のピッチＰ１と第２ピッチＰ２とは下記の（１）式を満足するように設定されていてもよい。
０．７＊Ｐ２≦Ｐ１≦１．３＊Ｐ２……（１）
【００７４】
但し、
第１のピッチＰ１：前記第１鋲１１のうちの前記ソール本体２の外足部２０の最も後に配置された前記第１鋲１１と当該第１鋲１１の隣の第３鋲１３との距離
第２のピッチＰ２：外足部２０の第２鋲１２と当該第２鋲１２の隣の第３鋲１３との距離
【００７５】
ここで、鋲と鋲との距離とは、１つの鋲のセンターと隣の鋲のセンターとの間の距離を意味する。すなわち、ピッチとは互いに隣り合う鋲の中心と中心との間の距離を意味する。
【００７６】
本例の場合、２つの第３鋲１３，１３間のピッチＰ３は以下の（２），（３）式の双方を満足するように設定されていてもよい。
０．７＊Ｐ１≦Ｐ３≦１．３＊Ｐ１……（２）
０．７＊Ｐ２≦Ｐ３≦１．３＊Ｐ２……（３）
【００７７】
この場合、第１鋲１１、第３鋲１３，１３および第２鋲１２の４つの鋲は、外足部２０において前足部の後端から後足部にかけて概ね均等に配置される。また、これら４つの鋲はアウトソール本体２の外足部２０の側縁に沿って１列に配置されている。
【００７８】
前記配置は前記（１）〜（３）式よりも下記の（１１）〜（１３）式を満足する場合の方が好ましい。
０．８＊Ｐ２≦Ｐ１≦１．２＊Ｐ２……（１１）
０．８＊Ｐ１≦Ｐ３≦１．２＊Ｐ１……（１２）
０．８＊Ｐ２≦Ｐ３≦１．２＊Ｐ２……（１３）
【００７９】
図２に示すように、前記４つの鋲１１，１２，１３は概ね同等の高さ位置に配置されている。すなわち、外足部２０において、最も後端の第１鋲１１、第３鋲１３および第２鋲１２の各最下端１１Ｅ、１２Ｅ、１３Ｅは、二点鎖線で示すように、互いに同等の高さ位置に配置されている。
【００８０】
図１に示すように、本実施例の場合、前記第２および第３エリアＡ２，Ａ３の外足部２０に配置された鋲の数は、前記第２および第３エリアＡ２，Ａ３の内足部２１に配置された鋲の総数１個よりも多い。
本例の場合、前記第３エリアＡ３の内足部２１には鋲が配置されていないが、１個以上の鋲が配置されていてもよい。
また、本例の場合、前記第１エリアＡ１の外足部２０に配置された第１鋲１１の総数は２個であり、前記第１エリアＡ１の内足部２１に配置された第１鋲１１の総数３個よりも少ない。
【００８１】
つぎに、図４に示すフレア構造について説明する。
図４において、前記アウトソール本体２の外足部２０は前記第２および第３エリアＡ２，Ａ３（図１）の双方においてアッパー３よりも外方に向かって張り出した張出部２９を有する。この張出部２９はフレア構造を形成し、第２および第３エリアＡ２，Ａ３（図１）の外足部２０の全域にわたって設けられていてもよい。
【００８２】
前記アウトソール本体２の内足部２１は前記第２エリアＡ２において前記アッパー３よりも外方に向かって張り出した別の張出部２９を有する。また、図２および図３に示すように、アウトソール本体２は後足部の後端において後方に張り出した別の張出部２９を有していてもよい。
【００８３】
つぎに、図５の接地面４Ｆにドット模様を付したクリート４について説明する。
クリート４は前記アウトソール本体２に一体に形成され下方（紙面の上方）に突出する。クリート４は前記第１、第２および第３エリアＡ１〜Ａ３の外足部２０に、それぞれ設けられている。
【００８４】
図１の前記第３エリアＡ３の外足部２０において、図２のクリート４の接地面４Ｆの高さ位置は前記第１エリアＡ１の外足部２０（図１）の後端側のクリート４の接地面４Ｆや第２エリアＡ２の外足部２０（図１）の前端側のクリート４の接地面４Ｆの高さ位置と同等である。
【００８５】
図５において、前記外足部２０のクリート４は、前記第１鋲１１と第３鋲１３との間、第３鋲１３と第３鋲１３との間、ならびに、第３鋲１３と第２鋲１２との間に配置されている。すなわち、図１の第１エリアＡ１の後端部から第３エリアＡ３の前端部まで配置されている。
【００８６】
また、図５の第３鋲１３の前後を含む周囲には、複数のクリート４が配置されている。したがって、図２のように下方の地面に向かって突出したクリート４よりも第３鋲１３が更に下方に向かって突出した状態となる。
【００８７】
一方、図１のアウトソール本体２の第３エリアＡ３の内足部２１については、前記高さの高いクリート４が本質的に設けられていない。
【００８８】
本例の場合、図１の第３エリアＡ３のクリート４はシューズセンターＣＬに対し略直交する幅方向に延びる突条で形成されている。前記突条のクリート４は第３エリアＡ３の外足部２０の外縁から内足部２１に到るまで延びている。したがって、前記第３エリアＡ３のクリート４は、第３エリアＡ３の外足部２０よりも広い幅にわたって設けられ、図５のドット模様で示す大きな接地面積を有する。
【００８９】
図５の外足部２０において、アッパー３（図４）よりも張り出した張出部２９にクリート４の接地面４Ｆの一部が設けられている。なお、接地面４Ｆとはクリート４の最も突出した面で、図５においてドット模様を付した面を意味する。
【００９０】
図８および図９は実施例２を示す。
本実施例２では、図８の第３エリアＡ３において、図９の外足部２０に第３鋲１３が１個だけ設けられている。この場合、図８の第３鋲１３のセンター１３Ｃの位置と第３鋲群Ｇ３のセンターＧＣの位置とが互いに一致する。したがって、図９の第３鋲１３の被装着部１５のセンター１３Ｃは、図８の第４エリアＡ４に配置される。
【００９１】
図８において、本例の場合、第３エリアＡ３の外足部２０の一部にフレア構造を構成する張出部２９が設けられている。また、本例の場合、第３エリアＡ３を含む各エリアＡ１〜Ａ４のクリートは外足部２０において幅方向の一部に設けられている。
【００９２】
つぎに、本発明の効果を明瞭にするために、試験例および比較例について説明する。以下の試験は５度の傾斜面を持つ人工芝の上で行った。
【００９３】
まず、前記図１〜図７に示す実施例１のように、２個の第３鋲１３を第３エリアＡ３に有するゴルフシューズを試験例２ｓｔｕｄｓとして用意した。一方、前記第３エリアＡ３に第３鋲１３を有していない市販品のゴルフシューズを比較例ｎｏｎｅとして用意した。これらの試験例２ｓｔｕｄｓおよび比較例ｎｏｎｅについて、前記第３エリアＡ３の第３鋲１３の有無によるグリップ性能の比較を行った。
【００９４】
この比較は、各例について前記傾斜面におけるインパクト直前の摩擦係数を算出して行った。図１２（ａ）のように前記摩擦係数は垂直荷重に対する水平方向の力の比で算出した。その結果を図１２（ｂ）に示す。試験例２ｓｔｕｄｓの場合、摩擦係数が従来の比較例ｎｏｎｅよりも大きいことが確認できた。
【００９５】
かかる摩擦係数の増大は、図１１の傾斜地において左足Ｌｅｆｔの踵の外足の直前方に生じる大きな垂直荷重と相まって、大きな摩擦力、つまり、スベリに対する抗力を生むことが期待できる。その結果、グリップ性能の向上が期待できる。
【００９６】
一般に、天然の芝は人工芝に比べ表層が軟らかく、そのため、鋲が入り込み易い。また、人工芝と異なり天然の芝は根を有しており、そのため、鋲が芝だけでなく根にも絡むことが期待できる。このようなことから、第２鋲１３によるグリップ性能の向上は人工芝上で測定した場合に比べ大きくなることが期待できる。
【００９７】
つぎに、スイング中に生じる図１３（ａ）の踵の倒れ角θの変化についてテストを行った。
【００９８】
図８の実施例２のように、第３エリアＡ３に張出部２９、図９の１つの第３鋲１３およびクリート４を持つゴルフシューズを試験例ｅｘとして用意した。一方、前記第３エリアに張出部および第３鋲を有していない市販品を比較例ｃｏｍｐ．として用意した。
【００９９】
これらの試験例ｅｘおよび比較例ｃｏｍｐ．についてインパクト前後の前記踵の倒れ角θを計測した。計測結果を図１３（ｂ）に示す。図１３（ｂ）および（ｃ）から分かるように、インパクトの瞬間の０．１秒前から０．３秒後に到るまで比較例ｃｏｍｐ．に比べ試験例ｅｘは前記踵の倒れ角θの変化が小さいことが分かる。
【０１００】
この倒れ角θが小さいことから、本実施例２は安定性が向上していることが理解される。かかる安定性の向上は図９の張出部２９およびクリート４の接地により、図１１の傾斜地において左足Ｌｅｆｔの踵および踵の外足の若干前方に生じる大きな荷重を支えることができるためであると考えられる。
【０１０１】
つぎに、図１４の前記踵の倒れ角θとフレア構造（張出部２９）を設けた部位との関係についてテストを行った。
【０１０２】
図１〜図７に示す実施例１のゴルフシューズを４足用意し、一部のシューズについて張出部２９を部分的に削り取った。
図１４のサンプルＡは全く削り取らず、太線で示すように全ての張出部２９を残した。
図１４のサンプルＢは後足域の張出部２９を削り取り中足域の張出部２９を残した。
図１４のサンプルＣは中足域の張出部２９を削り取り後足域の張出部２９を残した。
図１４のサンプルＤは全ての張出部２９を削り取った。
【０１０３】
これらのサンプルＡ〜Ｄについて、インパクト時の左足の前記踵の倒れ角θを測定した。その結果を図１４の棒グラフに示す。
【０１０４】
この棒グラフから分かるように、中足域および後足域の張出部２９は踵の倒れ角θを小さくするのに役立つことが分かる。
【０１０５】
以上のとおり、図面を参照しながら好適な実施例を説明したが、当業者であれば本明細書を見て、自明な範囲内で種々の変更および修正を容易に想定するであろう。
たとえば、左足用のソールと同じ構造を右足用のソールに適用してもよいし、左足または右足の一方にのみ本構造を適用してもよい。
第３エリアに設ける第３鋲の数は３以上であってもよい。
鋲やクリートの形状は種々の形状を採用し得る。
したがって、そのような変更および修正は請求の範囲から定まる本発明の範囲内のものと解釈される。
【産業上の利用可能性】
【０１０６】
本発明はゴルフシューズに適用できる。
【符号の説明】
【０１０７】
１１：第１鋲  １２：第２鋲  １３：第３鋲  １１Ｅ，１２Ｅ，１３Ｅ：最下端
１１Ｃ，１２Ｃ，１３Ｃ：センター  １５：被装着部   １６：係合突起  
１７：工具係止部
２：アウトソール本体  ２Ｒ：後端  ２０：外足部  ２１：内足部  ２５：装着部
２９：張出部
３：アッパー
４：クリート  ４Ｆ：接地面
Ａ１：第１エリア  Ａ２：第２エリア  Ａ３：第３エリア  Ａ４：第４エリア
Ｇ１：第１鋲群  Ｇ２：第２鋲群  Ｇ３：第３鋲群
【図１】
2018007701.tif 000003
【図２】
2018007701.tif 000004
【図３】
2018007701.tif 000005
【図４】
2018007701.tif 000006
【図５】
2018007701.tif 000007
【図６】
2018007701.tif 000008
【図７】
2018007701.tif 000009
【図８】
2018007701.tif 000010
【図９】
2018007701.tif 000011
【図１０】
2018007701.tif 000012
【図１１】
2018007701.tif 000013
【図１２】
2018007701.tif 000014
【図１３】
2018007701.tif 000015
【図１４】
2018007701.tif 000016